【手続補正書】
【提出日】平成17年1月7日(2005.1.7)
【手続補正１】
【補正対象書類名】明細書
【補正対象項目名】全文
【補正方法】変更
【補正の内容】
【書類名】  明細書
【発明の名称】  食器洗い機
【特許請求の範囲】
【請求項１】  食器洗い機本体と、前記食器洗い機本体内に設けた洗浄槽と、前記洗浄槽に設けた開口部を開閉する複数個の扉体と、前記扉体を開閉自在に支持する複数個の扉支持部材と、前記複数個の扉支持部材を軸支する基盤部材と、前記複数個の扉支持部材を連動させる連動手段と、前記扉支持部材に前記扉体の開放側に付勢した弾性体とを備え、前記洗浄槽の外壁に、前記基盤部材を、前記扉支持部材に対して、前記連動手段とは反対側に配置した食器洗い機。
【請求項２】  連動手段は、扉支持部材より外側に配設した請求項１記載の食器洗い機。
【請求項３】  扉支持部材と連動手段とをユニット化した後、このユニットを基盤部材、洗浄槽、食器洗い機本体のいずれかに取り付けた請求項１または２記載の食器洗い機。
【請求項４】  基盤部材と扉支持部材と連動手段とをユニット化した後、このユニットを洗浄槽もしくは食器洗い機本体に取り付けた請求項１〜３のいずれか１項記載の食器洗い機。
【請求項５】  食器洗い機本体と、前記食器洗い機本体内に設けた洗浄槽と、前記洗浄槽に設けた開口部を開閉する複数個の扉体と、前記扉体を開閉自在に支持する複数個の扉支持部材と、前記複数個の扉支持部材を軸支する基盤部材と、前記複数個の扉支持部材を連動させる連動手段と、前記扉支持部材に前記扉体の開放側に付勢した弾性体とを備え、前記弾性体は、他端を前記連動手段に連結し、かつ前記連動手段と略同一面に設けた食器洗い機。
【発明の詳細な説明】
【０００１】
【発明の属する技術分野】
本発明は、洗浄水の噴射により食器等の洗浄を行う食器洗い機に関する。
【０００２】
【従来の技術】
従来、この種の食器洗い機は、図３に示すように構成していた。以下、その構成について説明する。
【０００３】
図３に示すように、扉体１は、扉支持部材２により、食器洗い機本体３の下部に開閉自在に取り付け、食器洗い機本体３の前面開口部を覆うよう構成し、上部に扉体１を開閉する際につかむ取っ手部４と、スイッチ５により解除されるロック手段６とを設け、閉塞状態で固定することができるよう構成している。食器洗い機本体３は、内部に洗浄槽７を設けており、この洗浄槽７は、内部に食器かご８を配置している。９は洗浄用のポンプ、１０は洗浄ノズルである。
【０００４】
上記構成において動作について説明する。使用者がスイッチ５によりロック手段６を解除し、その後、取っ手部４を持って扉体１を開放し、食器洗い機本体３内の洗浄槽７に設置された食器かご８に汚れた食器類をセットする。
【０００５】
つぎに、扉体１を閉め、ロック手段６を動作させて運転を開始すると、洗浄槽７の底部に配置されたヒータ（図示せず）によって洗浄水を加熱しながら、洗浄水を洗浄ポンプ９により洗浄ノズル１０に圧送し、食器類に向かって噴射し食器類の汚れを落とす洗浄行程を行う。その後、食器類をすすいだ後、乾かす乾燥行程を行って運転が終了する。
【０００６】
また、他の食器洗い機として、特開５０−２６３５６号公報に記載されているものがある。図４に示すように、食器洗い機本体１１に設けた２個の扉体１２、１３は扉支持部材１４、１５を介して上下方向に各々回動して洗浄槽１６の開口部を開閉する構成であり、連動手段１７、１８およびそれらを連動する連結部材１９、２０、２１によって連結されている。このため、下扉体１３を開放すれば、同時に上扉体１２も開放し、２個の扉体を同時に開閉可能とすることにより扉開閉の使い勝手を向上させている。
【０００７】
【発明が解決しようとする課題】
このような従来の構成で、図３に示す構成では、通常、ロック手段６の動作と扉体１を開くための取っ手部４を別々に設けており、扉体１を開ける際には、スイッチ５によりロック手段６を解除し、取っ手部４をつかみ直す必要がある。また、扉体１は閉塞方向に付勢されているため、取っ手部４を開放終了までつかんで開けなければならなく、煩わしく使い勝手に劣るという問題を有していた。
【０００８】
また、図４の構成では、扉体を２個の扉体１２、１３に分割し、扉体を開放したときの食器洗い機本体１１から前方への突出量を少なくし、食器洗い機を設置する場合の設置性を向上し、さらに複数個の扉体１２、１３を連動手段１７によって回動自在に連結し、扉体の開閉の使用勝手を向上させているが、扉体１２、１３の開放に関して１枚扉と同様の煩わしさを有していた。
【０００９】
また、この従来の構成を実現するためには、食器洗い機を生産、組立時において、複数個の扉体１２、１３、扉支持部材１４、１５、連動手段１７、１８、連結部材１９、２０、２１という多くの部品をそれぞれ連結、組立する必要があり、その組立順序も複雑なものとなっている。さらに、これらの構成を食器洗い機本体１１内に収める必要があり、洗浄槽１６の幅寸法が小さくなり、収容できる食器容量が少なくなるという問題を有している。
【００１０】
本発明は上記課題を解決するもので、扉体開閉の使用勝手がよいものを簡単な構成でかつコンパクトに実現する食器洗い機を提供することを目的としている。
【００１１】
【課題を解決するための手段】
本発明は上記目的を達成するために、食器洗い機本体内に洗浄槽を設け、洗浄槽に設けた開口部を複数個の扉体により開閉し、これら扉体を複数個の扉支持部材により開閉自在に支持するとともに、複数個の扉支持部材を基盤部材により軸支して複数個の扉支持部材を連動手段により連動させ、扉体の開放側に弾性体により付勢するよう構成し、洗浄槽の外壁に、基盤部材を、扉支持部材に対して、連動手段とは反対側に配置したものである。
【００１２】
これにより、簡単な操作で複数個の扉体を自動的に開放することができ、複数の扉体の開閉が極めて容易になり、使用時の煩わしさが解消できるとともに、洗浄槽の外壁に、基盤部材、扉支持部材、連動手段の順に組み立てるだけでよく、非常に簡単な構成で、容易に組立することができる。さらに、基盤部材、扉支持部材、連動手段をユニット化することも容易にでき、このユニットを洗浄槽もしくは食器洗い機本体に取り付けすることができ、さらに組立性を向上することができる。
【００１３】
また、上記目的を達成するために、食器洗い機本体内に洗浄槽を設け、洗浄槽に設けた開口部を複数個の扉体により開閉し、これら扉体を複数個の扉支持部材により開閉自在に支持するとともに、複数個の扉支持部材を基盤部材により軸支して複数個の扉支持部材を連動手段により連動させ、扉体の開放側に弾性体により付勢するよう構成し、弾性体は、他端を連動手段に連結し、かつ連動手段と略同一面に設けたものである。
【００１４】
これにより、弾性体と連動手段は略同一面に設けているため、使用勝手のよい複数個の扉体の自動開放を、コンパクトな構成により、洗浄槽の幅寸法を小さくすることなく実現することができる。
【００１５】
【発明の実施の形態】
本発明の請求項１に記載の発明は、食器洗い機本体と、前記食器洗い機本体内に設けた洗浄槽と、前記洗浄槽に設けた開口部を開閉する複数個の扉体と、前記扉体を開閉自在に支持する複数個の扉支持部材と、前記複数個の扉支持部材を軸支する基盤部材と、前記複数個の扉支持部材を連動させる連動手段と、前記扉支持部材に前記扉体の開放側に付勢した弾性体とを備え、前記洗浄槽の外壁に、前記基盤部材を、前記扉支持部材に対して、前記連動手段とは反対側に配置したものであり、簡単な操作で複数個の扉体を自動的に開放することができ、複数の扉体の開閉が極めて容易になり、使用時の煩わしさが解消できる。
【００１６】
本発明の請求項２に記載の発明は、上記請求項１に記載の発明において、連動手段は、扉支持部材より外側に配設したもので、洗浄槽の外壁に、基盤部材、扉支持部材、連動手段の順に組み立てるだけでよく、非常に簡単な構成で容易に組立することができる。
【００１７】
さらに、本発明の請求項３および４に記載の発明は、基盤部材、扉支持部材、連動手段の一部もしくはすべてをユニット化することが容易にでき、このユニットを洗浄槽もしくは食器洗い機本体に取り付けすることができ、さらに組立性を向上することができる。
【００１８】
請求項５に記載の発明は、食器洗い機本体と、前記食器洗い機本体内に設けた洗浄槽と、前記洗浄槽に設けた開口部を開閉する複数個の扉体と、前記扉体を開閉自在に支持する複数個の扉支持部材と、前記複数個の扉支持部材を軸支する基盤部材と、前記複数個の扉支持部材を連動させる連動手段と、前記扉支持部材に前記扉体の開放側に付勢した弾性体とを備え、前記弾性体は、他端を前記連動手段に連結し、かつ前記連動手段と略同一面に設けたものであり、使用勝手のよい複数個の扉体の自動開放を、さらにコンパクトな構成とすることができ、洗浄槽の幅寸法を小さくすることがなく実現できる。
【００１９】
【実施例】
以下、本発明の一実施例について、図面を参照しながら説明する。
【００２０】
図１に示すように、食器洗い機本体２２は、内部に洗浄槽２３を設け、この洗浄槽２３の開口部２４を上扉体（扉体）２５と下扉体（扉体）２６により開閉するよう構成している。上扉体２５に上扉支持部材（扉支持部材）２７を固定し、この上扉支持部材２７を上固定枢軸２８で基盤部材２９に回転自在に軸支している。また、下扉体２６に下扉支持部材（扉支持部材）３０を固定し、この下扉支持部材３０を下固定枢軸３１で基盤部材２９に回転自在に軸支している。また、基盤部材２９の下部に、洗浄槽２３の外壁面に溶接したボルトが入る貫通穴を設け、ナット３２によって固定されている。
【００２１】
上扉支持部材２７と下扉支持部材３０を連動する連動手段として、連動手段３３を設けており、それぞれ上リンク枢軸３４、下リンク枢軸３５で上扉支持部材２７と下扉支持部材３０に軸支している。洗浄槽２３の外壁に、図２に示すように、基盤部材２９、上扉支持部材２７と下扉支持部材３０、連動手段３３の順に配置している。
【００２２】
下扉体２６に押しボタンスイッチ３６と、下扉体２６を閉塞状態に固定するロック手段３７とを設け、押しボタンスイッチ３６と連動して、洗浄槽２３に設けた係止部３８からロック手段３７を解除できるようにしている。また、洗浄槽２３の外壁にはロック手段３７が係止部３８に確実にロックされているか検知する扉体ロック検知手段３９を設けており、上扉体２５と下扉体２６が閉塞状態でない場合は、入力機能と連動して運転しないよう構成している。
【００２３】
連動手段３３には、保持部４０を設けており、上扉支持部材２７とスプリング（引張りコイルばね）４１等の弾性体で連結し、扉体を自動的に閉塞状態から開放状態まで開放する機構を構成している。スプリング４１は連動手段３３と略同一面内に配置している。
【００２４】
上記構成において動作を説明すると、上扉体２５と下扉体２６は、それぞれ上扉支持部材２７、下扉支持部材３０によって、上下に開閉する構成であり、上扉支持部材２７の回動によって、上扉体２５は上方に回動し、下扉支持部材３０の回動によって下扉体２６は下方に回動する。
【００２５】
この際、スプリング４１により開放側に付勢された連動手段３３と上扉支持部材２７によって、下扉体２６に設けた押しボタンスイッチ３６を作動することで、ロック手段３７が解除され、上扉体２５と下扉体２６が連動して回動する。このため、使用者は扉体をつかみ開放操作をする必要がなく、上扉体２５と下扉体２６は閉塞状態から開放状態まで自動的に開放し、使用者が食器等を手に持っている場合等において非常に高い利便性を有する。
【００２６】
また、洗浄槽２３の外壁に、基盤部材２９、上扉支持部材２７と下扉支持部材３０、連動手段３３の順に組み立てる構成としているため、非常に簡単な構成で容易に組み立てることができる。さらに、基盤部材２９、上扉支持部材２７と下扉支持部材３０、連動手段３３をユニット化することも容易にでき、このユニットを洗浄槽２３もしくは本体２２に取り付けすることができ、さらに組立性を向上することができる。
【００２７】
また、上扉支持部材２７に設けたスプリング４１は、その他端を連動手段３３に設けた保持部４０と連結し、かつ連動手段３３と略同一面に設けているため、上扉体２５と下扉体２６を自動的に開放させる構成を、実質的に上扉支持部材２７と基盤部材２９と連動手段３３との厚み方向のスペースだけで実現することができ、この結果、洗浄槽２３の幅寸法を小さくすることなく実現でき、洗浄槽２３に収納できる食器容量を最大とすることができる。
【００２８】
【発明の効果】
以上のように本発明の請求項１に記載の発明によれば、食器洗い機本体と、前記食器洗い機本体内に設けた洗浄槽と、前記洗浄槽に設けた開口部を開閉する複数個の扉体と、前記扉体を開閉自在に支持する複数個の扉支持部材と、前記複数個の扉支持部材を軸支する基盤部材と、前記複数個の扉支持部材を連動させる連動手段と、前記扉支持部材に前記扉体の開放側に付勢した弾性体とを備え、前記洗浄槽の外壁に、前記基盤部材を、前記扉支持部材に対して、前記連動手段とは反対側に配置したから、簡単な操作で複数個の扉体を自動的に開放することができ、複数の扉体の開閉が極めて容易になり、使用時の煩わしさが解消できる。
【００２９】
また、請求項２に記載の発明によれば、非常に簡単な構成で容易に組立することができる。
【００３０】
さらに、請求項３もしくは４に記載の発明によれば、基盤部材、扉支持部材、連動手段の一部もしくはすべてをユニット化することが容易にでき、このユニットを洗浄槽もしくは食器洗い機本体に取り付けすることができ、さらに組立性を向上することができる。
【００３１】
また、請求項５に記載の発明によれば、食器洗い機本体と、前記食器洗い機本体内に設けた洗浄槽と、前記洗浄槽に設けた開口部を開閉する複数個の扉体と、前記扉体を開閉自在に支持する複数個の扉支持部材と、前記複数個の扉支持部材を軸支する基盤部材と、前記複数個の扉支持部材を連動させる連動手段と、前記扉支持部材に前記扉体の開放側に付勢した弾性体とを備え、前記弾性体は、他端を前記連動手段に連結し、かつ前記連動手段と略同一面に設けたから、使用勝手のよい複数個の扉体の自動開放を、さらにコンパクトな構成とすることができ、洗浄槽の幅寸法を小さくすることがなく実現できる。
【図面の簡単な説明】
【図１】
本発明の一実施例の食器洗い機の側壁部断面図
【図２】
同食器洗い機の一部切欠した縦断面図
【図３】
従来の食器洗い機の一例の側壁部断面図
【図４】
従来の食器洗い機の他の例の側壁部断面図
【符号の説明】
２２  食器洗い機本体
２３  洗浄槽
２４  開口部
２５  上扉体（扉体）
２６  下扉体（扉体）
２７  上扉支持部材（扉支持部材）
２９  基盤部材
３０  下扉支持部材（扉支持部材）
３３  連動手段
４１  スプリング（弾性体）